(57)【特許請求の範囲】
【請求項１】
内部に空洞を有する可撓性材料から形成される扁平な直方体形状の頭載部材と、
前記頭載部材の空洞に設けられた上下動装置とを有する枕であって、
前記頭載部材の上方に人の頭部を仰向きに載せた状態で頸部が位置する側を前側、頭頂部が位置する側を後側として、
前記上下動装置は、前記頭載部材の中央部に人の頭部を載せて寝たときに、頚部の下方に位置する前側の可撓性部材と、頭頂部より後側部の下方に位置する後側の可撓性部材と、前記各可撓性部材の左右端部が互いに近付くように前記各可撓性部材に引張力を付与する引張部材と、前記可撓性部材間に張り渡たされた張渡部材とを備え、
前記頭載部材に人の頭部を載せない状態では、前記可撓性部材は上方に凸になる円弧状に屈曲しており、
横向き寝の姿勢で前記頭載部材の中央部の上面に人の頭部が載っても、前記各可撓性部材は前記円弧状に屈曲した形状を維持するが、前記各可撓性部材の中央部に仰向き寝の姿勢の人の頭部の重量がかかると、前記可撓性部材は前記円弧状に屈曲した形状から水平状態に近付くように変形するように、前記各可撓性部材の復元力及び前記引張部材の引張力が設定されていることを特徴とする枕。
【請求項２】
前記上下動装置は、各可撓性部材の左右両端部をそれぞれ連結する連結部材を備えることを特徴とする請求項１に記載の枕。
【請求項３】
前記上下動装置は、前記各可撓性部材又は前記連結部材の左右両方向の移動を規制する移動規制機構を備えることを特徴とする請求項２に記載の枕。
【請求項４】
前記上下動装置は、前記引張部材の引張力を調整する調整機構を備えることを特徴とする請求項１から３の何れか１項に記載の枕。
【請求項５】
前記頭載部材に、前記上下動装置の左右両端の上部の上面に前後に亘って切込みが形成されていることを特徴とする請求項１から４の何れか１項に記載の枕。
【発明の詳細な説明】
【技術分野】
【０００１】
本発明は、寝具として用いる枕に関するものであり、さらに詳しくは仰向き寝時と横向き寝時とで高さが変化する枕に関する。
【背景技術】
【０００２】
人の睡眠時の姿勢は、直立状態をそのまま倒して仰向きとした状態が最も自然で好ましい。このとき、頭部の内で最も低い位置となる後頭部は、背中よりやや高い位置となる。そこで、寝具として用いる枕は、人が仰向きに寝ているとき（以下、仰向き寝時という）、後頭部の位置を背中よりやや高い位置とすることが望まれる。
【０００３】
一方、人が睡眠時に寝返りを打って横向きに寝ているとき（以下、横向き寝時という）には、頭部は肩部により支えられるので、仰向き寝時よりも頭部の位置が高くなる。
【０００４】
従って、枕は、仰向き寝時と横向き寝時とに応じて、高さが自動的に変化することが望まれる。そこで、枕にかかる荷重が仰向き寝時と横向き寝時とで異なることを利用して、自動的に高さが変化する枕が提案されている。
【０００５】
例えば、特許文献１，２には、内部に空洞を有する可撓部材から形成される扁平な直方体形状の頭載部材と、頭載部材の空洞の上方部分を上方に付勢して支持するように空洞に設けられた付勢装置とを有する枕であって、付勢装置が左右間距離が保持されるように固定されている左右一対の変形矩形リンク機構を備える枕が開示されている。
【先行技術文献】
【特許文献】
【０００６】
【特許文献１】特許第４２８６９０２号公報
【特許文献２】特許第４２８６９０７号公報
【発明の概要】
【発明が解決しようとする課題】
【０００７】
しかしながら、特許文献１，２に開示された枕においては、変形矩形リンク機構及び付勢装置が複雑な構造であるため、製造コストが高くなるという課題がある。
【０００８】
本発明は、以上の点に鑑み、仰向き寝時と横向き寝時とで高さが変化し、且つ、簡易な構造の枕を提供することを目的とする。
【課題を解決するための手段】
【０００９】
本発明の枕は、内部に空洞を有する可撓性材料から形成される扁平な直方体形状の頭載部材と、前記頭載部材の空洞に設けられた上下動装置とを有する枕であって、前記頭載部材の上方に人の頭部を仰向きに載せた状態で頸部が位置する側を前側、頭頂部が位置する側を後側として、前記上下動装置は、前記頭載部材の中央部に人の頭部を載せて寝たときに、頚部の下方に位置する前側の可撓性部材と、頭頂部より後側部の下方に位置する後側の可撓性部材と、前記各可撓性部材の左右端部が互いに近付くように前記各可撓性部材に引張力を付与する引張部材と、前記可撓性部材間に張り渡たされた張渡部材とを備え、前記頭載部材に人の頭部を載せない状態では、前記可撓性部材は上方に凸になる円弧状に屈曲しており、横向き寝の姿勢で前記頭載部材の中央部の上面に人の頭部が載っても、前記各可撓性部材は前記円弧状に屈曲した形状を維持するが、前記各可撓性部材の中央部に仰向き寝の姿勢の人の頭部の重量がかかると、前記可撓性部材は前記円弧状に屈曲した形状から水平状態に近付くように変形するように、前記各可撓性部材の復元力及び前記引張部材の引張力が設定されていることを特徴とする。
【００１０】
本発明の枕によれば、その上下動機構は、上記特許文献１，２に開示された枕の変形矩形リンク機構と比較して、簡易な構造である。よって、これらの枕と比べて、製造コスト、故障、重量を低減することが可能となる。
【００１１】
横向き寝の姿勢で頭載部材の中央部の上面に人の頭部が載っても、各可撓性部材は円弧状に屈曲した形状を維持するので、両可撓性部材の上面が高い位置に位置する。そして、これら可撓性部材間に張り渡された張渡部材によって使用者の頭部は支持され、その沈み込みが防止される。これにより、枕の上面は横向き寝時に適した高い位置に位置することになる。
【００１２】
一方、仰向き寝で寝ようとするとき、まず、使用者の頭部の荷重は頭載部材を介して前側の可撓性部材に作用する。ここで、各可撓性部材の中央部に仰向き寝の姿勢の人の頭部の重量がかかると、可撓性部材は円弧状に屈曲した形状から水平状態に近付くように変形するように、各可撓性部材の復元力及び引張部材の引張力が設定されている。
【００１３】
そのため、前側の可撓性部材の中央部に人の頭部の重量がかかると、この可撓性部材は円弧状に屈曲した形状から水平状態に近付くように変形する。そして、次第に使用者の頭部の荷重が頭頂部側に移り、張渡部材を介して後側の可撓性部材の中央部付近に荷重が作用することにより、後側の可撓性部材も円弧状に屈曲した形状から水平状態に近付くように変形する。これにより、前後両方の可撓性部材が水平状態に近付き、これら可撓性部材に張り渡された張渡部材も下降して、枕が扁平となり、その上面の高さが仰向き寝時に適した高さまで下降する。
【００１４】
逆に、仰向き寝時状態から起きるときには、仰向き寝で寝ようとするときと反対の過程を辿って、引張部材の引張力によって両可撓性部材は元の円弧状に徐々に復帰するので、枕の上面はスムーズに上昇する。
【００１５】
本発明の枕において、前記上下動装置は、各可撓性部材の左右両端部をそれぞれ連結する連結部材を備えることが好ましい。
【００１６】
この場合、連結部材に連結された両可撓性部材が共に移動するので、上下動機構の作動が安定したものとなる。特に、仰向き寝時に、先に水平状態に近付く前側の可撓性部材に連結部材で連結されていることによって、後側の可撓性部材が水平状態に近付き易い。
【００１７】
また、本発明の枕において、前記上下動装置は、前記各可撓性部材又は前記連結部材の左右両方向の移動を規制する移動規制機構を備えることが好ましい。
【００１８】
この場合、可撓性部材の屈曲が過度となり、可撓性部材の中央部が上昇し過ぎて、枕の上面が高くなり過ぎることを防止可能となる。
【００１９】
また、本発明の枕において、前記上下動装置は、前記引張部材の引張力を調整する調整機構を備えることが好ましい。
【００２０】
この場合、使用者の頭部の重量に拘わらず、前記引張部材の引張力を調整することにより同じ枕を使用することができる。
【００２１】
また、本発明の枕において、前記頭載部材に、前記上下動装置の左右両端の上部の上面に前後に亘って切込みが形成されていることが好ましい。
【００２２】
この場合、仰向き状態では、切込み間の頭載部材の中央部の上面に頭部を載せていれば、切込みによりこの中央部の上面が沈み込み易くなる。
【図面の簡単な説明】
【００２３】
【図１】本発明の実施形態に係る枕の外観斜視図。
【図２】枕の上面図。
【図３】（ａ）は枕の正面図、（ｂ）は枕の側面図。
【図４】（ａ）は図１のＡ−Ａ線における断面図、（ｂ）は図１のＢ−Ｂ線における断面図。
【図５】上下動装置の上面図。
【図６】（ａ）は最上昇時における上下動装置の正面図、（ｂ）は最下降時における上下動装置の正面図。
【図７】移動規制機構及び調整機構を示し、（ａ）は側面図、（ｂ）は上面図、（ｃ）は正面図。
【図８】回転防止機構を示し、（ａ）は側面図、（ｂ）は上面図、（ｃ）は正面図。
【図９】横向き寝時における枕の概略縦断面図。
【図１０】横向き寝時における枕の概略横断面図。
【図１１】仰向き寝時における枕の概略縦断面図。
【図１２】仰向き寝時における枕の概略横断面図。
【発明を実施するための形態】
【００２４】
本発明の実施形態に係る枕１を、図面を参照して説明する。
【００２５】
枕１は、図１乃至図４に示すように、内部に空洞２ａを有し、可撓部材から形成される扁平な大略直方体形状の頭載部材２と、頭載部材２の空洞２ａ内に配設された上下動装置３とを有している。さらに、枕１は、外側全体、又は左右側面を除く外側全体が図示しない枕カバーで被覆されてもよい。
【００２６】
以下、枕１に人の頭部を載せた状態で頭頂部が位置する側を後側、人の頸部が位置する側を前側として説明する。
【００２７】
図１乃至図３に示すように、頭載部材２は、下面中央部に空洞２ａを形成するための窪みが形成された本体部材４と、本体部材４の底面に固定される底蓋部材５とからなる。頭載部材２を構成する本体部材４及び底蓋部材５は、それぞれ、可撓性材料から形成され、ここでは、高反発スポンジ製の成形体から成っている。なお、これらは、低反発又は高反発性のウレタンフォーム製であってもよい。ただし、高反発スポンジ製とすれば、へたりが少ないので、枕１を好適に長期間使用することが可能となる。
【００２８】
頭載部材２の外観は、図１に示すように、平面視の形状が左右方向横長の略長方形となる扁平な大略直方体状となっており、上面が前上がりに、前面下部が後方に傾き、前上角面が曲率半径の大きな丸みを帯びるように形成されている。なお、頭載部材２の形状は扁平な大略直方体形状に形成されていればよく、図示する形状に限定されず、例えば、上面視楕円状であってもよい。
【００２９】
本体部材４の上面には、左右に離間して２本の切込みとしての溝６が形成されている。これらの溝の間に位置する中央部７と、溝６より左右方向両外側にそれぞれ位置する外側部８とは、一体となって構成されている。中央部７の下方には空洞２ａが位置している。本体部材４は、通気孔２ｃを除き、モールド成形法で成形することが好ましい。溝６は、枕１の前後に亘って直線状に形成されており、枕１の沈み込み量と同程度の深さとなっている。
【００３０】
中央部７の空洞２ａの上方の中央部分２ｂには、空洞２ａと外部とを連通する通気孔２ｃが多数形成されている。これにより、空洞２ａ内の空気を上下動装置３の上下動と共に吸排気でき、空洞２ａに熱がこもることが防止される。さらに、空洞２ａ内部の空気が通気孔２ｃを介して吸排気される通気量によって、枕１の上下速さを適切なものとすることも可能である。
【００３１】
人の頭部を枕１の上面に載せないとき、すなわち、不使用時、中央部７と左右の外側部８との上面は略同じ高さとなっている。外側部８は、その上に人の頭部を載せて沈み込んだときに、その上面が横向き寝時の高さに適した高さとなるように設定されている。
【００３２】
人の頭部を枕１に載せたときに、空洞２ａ内に配設された上下動装置３の存在を感じ取って違和感を抱かないように、中央部７の最薄部の厚さは、所定以上の厚さ、例えば２ｃｍから３ｃｍ程度の厚さを必要とする。
【００３３】
底蓋部材５は、本体部材４の下面の外周形状と一致するようにして、左右方向に長い均一厚さの矩形板状に形成されている。空洞２ａ内に上下動装置３を配設した状態で、本体部材４の下面に底蓋部材５の上面を合わせて、その接合面が接着剤等で密着固定されることにより接合されている。底蓋部材５は、枕１の下部に位置するので、これらを接合する接着剤等が硬化しても、枕１の上面に頭部を載せた使用者はその存在を感じ取ることはない。
【００３４】
枕１の全体高さが高過ぎると、仰向き寝時に充分な低さが得られず好ましくない。そこで、底蓋部材５の厚みを薄くすることが好ましい。底蓋部材５の厚さは、例えば１ｃｍ程度である。
【００３５】
上下動装置３は、図４及び図５を参照して、頭載部材２の中央部７に人の頭部を載せて寝たときに、頚部の下方に位置する前側のばね板１１と、頭頂部より後側部の下方に位置する後側のばね板１２と、各ばね板１１，１２の左右端部間に引張力を付与する引張ばね１３，１４と、ばね板１１．１２間に張り渡たされたメッシュ布１５とを備える。
【００３６】
各ばね板１１，１２は、板ばね等に使用されるばね材料、例えば、ばね用鋼板からなる平板状の可撓性部材であり、ここでは、左右に細長い矩形板状となっている。ばね板１１，１２は、例えば、リボン状のばね鋼を切り取って形成すればよい。
【００３７】
引張ばね１３，１４は、各ばね板１１，１２の左右端部が互いに近付くように各ばね板１１，１２に引張力を付与する引張部材である。ここでは、引張ばね１３，１４は、つるまきばねである。
【００３８】
メッシュ布１５は、１枚のメッシュ状の布からなるシート状の張渡部材である。メッシュ布１５は、その前後両端部が、前後のばね板１１，１２の間に張り渡たされている。ここでは、メッシュ布１５は、そのばね板１１，１２の上面に接着剤等を用いて固着されており、ばね板１１，１２の下面を巻き付けるように上面間に張り渡されている。そして、メッシュ布１５は、空洞２ａ上部の中央部７に接着剤等を用いて固定されており、中央部７を補強している。
【００３９】
メッシュ布１５は、両ばね板１１，１２間に強く張り渡されるように、その長さが定められている。また、メッシュ布１５の代わりに、メッシュ状でない布、樹脂製シート、網などのシート状の部材を使用してもよいが、伸縮性は小さいことが好ましい。
【００４０】
上下動装置３は、さらに、各ばね板１１，１２を連結する連結軸１６，１７を備える。
【００４１】
各連結軸１６，１７は、それぞれ、金属製の全体として細長い丸棒状であり、各ばね板１１，１２の左右両端部をそれぞれ連結する連結部材である。具体的には、左右２本の連結軸１６，１７が、前後間に所定の離間距離を保つように、各ばね板１１，１２を互いに平行に連結している。
【００４２】
各連結軸１６，１７は、それぞれ、ばね板１１，１２の左右端部が連結軸１６，１７の前後端部の外周をそれぞれ巻き込むように形成されることによって、ばね板１１，１２と連結されている。ただし、ばね板１１，１２と連結軸１６，１７との連結方法は、他の任意の方法であってもよい。なお、連結軸１６，１７は、ばね板１１，１２と固定されておらず、ばね板１１，１２に対して回転自在となっている。
【００４３】
ここでは、各引張ばね１３，１４の両端にフックが設けられており、このフックと連結軸１６，１７との間が連結ワイヤ１８，１９で連結されている。各連結ワイヤ１８，１９の一端がそれぞれフックに引っ掛けられ、連結ワイヤ１８の他端が連結軸１６に巻き付けられ、連結ワイヤ１９の他端が連結軸１７に固定されている。このようにして、各引張ばね１３，１４は、２本の連結軸１６，１７を互いに接近させるように、ひいては、各ばね板１１，１２を上方に凸に屈曲するように付勢している。
【００４４】
上下動装置３は、さらに、図７も参照して、各連結軸１６，１７の左右両方向の移動を規制する移動規制機構２１を備えている。移動規制機構２１によって、各連結軸１６，１７は、それぞれ所定の同じ区間においてのみ、左右方向に移動可能となっている。なお、上下動装置３は、各ばね板１１，１２の左右両方向の移動を規制する移動規制機構を備えていてもよい。
【００４５】
移動規制機構２１は、左右一対に設けられた取付板２２に設置されている。取付板２２は、それぞれ頚部側に設けられた連結板２３にリベット２４によって固定され、これらは全体として一体化した構造となっている。取付板２２及び連結板２３は、金属板やＰＥＴ（ポリエチレンテレフタレート）等の硬質樹脂製の平板からなっている。
【００４６】
ここでは、取付板２２は、略矩形状に形成されており、上面視でメッシュ布１５の下方に位置しておらず、その一部が外側部８の下方に位置している。連結板２３は、左右に細長く伸びた矩形状に形成されており、枕１の上に頭部を載せたとき、上面視で頚部の下方に位置している。なお、各板ばね１１，１２は、それぞれ取付板２２によって下方への屈曲が妨げられ、上方にのみ屈曲可能となっている。
【００４７】
各連結軸１６，１７は、その一部に、ここでは、前後に２箇所ずつ、ローラ２５が取り付けられている。このローラ２５の外周面が取付板２２の上面を転動することにより、連結軸１６，１７が左右方向に円滑に移動できるようになっている。
【００４８】
そして、移動規制機構２１は、ローラ２５の左右方向の転動を規制することにより、連結軸１６，１７の移動を規制している。ここでは、移動規制機構２１は、金属製の板を折り曲げて形成した移動規制板２６から構成され、リベット２７によって取付板２２に固定されている。
【００４９】
移動規制板２６は、それぞれ、左右方向内側に内側規制面２６ａを、左右方向外側に外側規制面２６ｂを有している。ローラ２５が内側規制面２６ａと当接することにより、連結軸１６，１７の左右方向内側への移動が規制され、ローラ２５が外側規制面２６ｂと当接することにより、連結軸１６，１７の左右方向外側への移動が規制される。
【００５０】
両ローラ２５が共に内側規制面２６ａに当接した状態が、２本の連結軸１６，１７が最も接近した状態であり、両板ばね１１，１２が上方に凸となる円弧形状となり、各板ばね１１，１２の中央部が高い位置に位置する最上昇状態となる。そして、各板ばね１１，１２がこれ以上高くならないように高さが規制され、板ばね１１，１２が過度に屈曲してその中央部が上昇して、枕１の上面が高く過ぎることを防止することができる。
【００５１】
この最上昇状態における各ばね板１１，１２の円弧形状と空洞２ａの上面を形状とを一致させている。これにより、最上昇状態において、両ばね板１１，１２及びこれらの間に張り渡されたメッシュ布１５と頭載部材２の中央部７との下面との間には、隙間がほぼ存在しない。
【００５２】
一方、両ローラ２５が共に外側規制面２６ｂに当接した状態が、２本の連結軸１６，１７が最も離間した状態であり、両板ばね１１，１２は水平となり、各板ばね１１，１２の中央部が低い位置に位置する最下降状態となる。このとき、上下動装置３が上昇して頭部を押し上げる押上力は最小となる。
【００５３】
このように、各連結軸１６，１７の左右方向の移動が同じように規制されている。そのため、頭載部材２の中央部７の中央から左右方向に偏って荷重がかかった場合であっても、両ばね板１１，１２が荷重のかからない方向にのみ伸びてその中央がずれて、各ばね板１１，１２と中央部７の下面との間に隙間が存在することがなく、中央部７の上面はスムースに上下動する。
【００５４】
また、各連結軸１６，１７には、それぞれ２個の固定カラー４８が固定されている。この固定カラー４８にばね板１１，１２が当接することにより、ばね板１１，１２が連結軸１６，１７の軸方向の移動が規制されている。
【００５５】
上下動装置３は、さらに、図８も参照して、引張ばね１３，１４の引張力を調整する調整機構３１を備えている。調整機構３１で引張ばね１３，１４の引張力を調整するにより、板ばね１１，１２の中央部の上面を下降させるために必要な荷重、すなわち、上下動装置３の耐荷重を変更することができる。これにより、頭載部材２の中央部７の上面を下降させるのに必要な荷重を、枕１の使用者に合わせて簡易に設定することができる。
【００５６】
ここでは、調整機構３１は、各引張ばね１３，１４に連結した連結ワイヤ１８を連結軸１６に巻き取る量を変更することによって、引張ばね１３，１４の引張力を調整する。
【００５７】
調整機構３１は、連結軸１６，１７の何れらの一方、ここでは、左側の連結軸１６に連結ワイヤ１８の一端側が巻き付けられ、この連結軸１６を回動させて、連結軸１６に巻き取られる連結ワイヤ１８の巻き取り量を変更することによって、引張ばね１３，１４の伸び量を調整することが可能となっている。
【００５８】
具体的には、連結軸１６の後端面に六角穴１６ａが形成されており、この六角穴１６ａに先端部を嵌合させたＴ字形の六角レンチ（図示しない）を回動させることにより、連結軸１６を回動させることが可能となっている。これにより、上下動装置３の耐荷重を１本の連結軸１６を回動させることで容易に調整することが可能となる。
【００５９】
上下動装置３は、さらに、連結軸１６の回動を防止可能な回転防止機構４１を備えている。回転防止機構４１により、連結ワイヤ１８の巻き取り量を調整した連結軸１６の回動が防止され、引張ばね１３，１４の引張力の調整が維持される。
【００６０】
回転防止機構４１は、連結軸１６が軸方向に移動可能に挿通される溝付き駒４２と、連結軸１６を後方に付勢する復帰ばね４３と、連結軸１６に固定された回転止めピン４４と、溝付き駒４２の左右方向に移動をガイドするためのガイド孔４５ａが形成された回転防止板４５とを備えている。
【００６１】
溝付き駒４２は、全体として略直方体形状であり、その中央部に前後方向に貫通する貫通孔４２ａが形成されており、例えば、硬質樹脂や金属からなっている。貫通孔４２ａには、連結軸１６が挿通され、連結軸１６は、溝付き駒４２に対して、回動可能、且つ前後方向に移動可能となっている。溝付き駒４２の上下面には、前後方向の中間部付近に左右に伸びる移動防止溝４２ｂが形成されている。また、溝付き駒４２の、前側面にはピン固定溝４２ｃが形成されている。ピン固定溝４２ｃは、ここでは、一直線状に凹設されている。
【００６２】
復帰ばね４３は、連結軸１６に固定された固定カラー４６と溝付き駒４２の後面との間に配置され、これらを離間させるときにこれに反する付勢力を付勢する。復帰ばね４３は、ここでは、つる巻きばねであり、連結軸１６の外周を取り囲むように配置されている。
【００６３】
回転止めピン４４は、溝付き駒４２のピン固定溝４２ｃに嵌り込むことが可能な形状である。回転止めピン４４は、ここでは、連結軸１６を径方向に挿通して、連結軸１６から両端部が突出した円柱状のピンである。
【００６４】
回転防止板４５は、金属製の板を折り曲げて形成されており、リベット４７によって取付板２２に固定されている。回転防止板４５は、駒ガイド板４５ｂを備えており、この駒ガイド板４５ｂにガイド孔４５ａが形成されている。駒ガイド板４５ｂは、左右方向に延在する垂直板であり、その上下方向中央部に、右側面から左方向に伸びる切り欠き孔であるガイド孔４５ａが形成されている。ガイド孔４５ａは、移動防止溝４２ｂと係合することにより、溝付き駒４２は左右方向のみに移動が可能であり、その回転が防止されている。
【００６５】
連結軸１６の後端面に形成された六角穴１６ａに六角レンチを係合させて、連結軸１６を前方に押し込むと、回転止めピン４４がピン固定溝４２ｃから外れて連結軸１６は回転可能となる。そして、この状態で連結軸１６を六角レンチで回転させて、引張ばね１３，１４の引張力が適宜な強さとなるように連結ワイヤ１８，１９を巻き取り又は緩める。その後、回転止めピン４４がピン固定溝４２ｃに嵌入するように連結軸１６の押し込みを緩めると、復帰ばね４３の付勢力により連結軸１６の回転は固定される。
【００６６】
これにより、上下動装置３の耐荷重を、使用者の適したものに調整することが、１本の連結軸１６を回転させるだけで可能であり、容易である。なお、使用者に合わせてばね力の異なる引張ばね１３，１４を用意してもよく、この場合、調整機構３１及び回転防止機構４１は不要となる。
【００６７】
以上のように、枕１の上下動装置３は、上記特許文献１，２に開示された枕の変形矩形リンク機構と比較して、簡単な構造である。そのため、枕１の製造コスト、故障、重量を低減することが可能となる。
【００６８】
そして、枕１は、不使用時、ばね板１１，１２の上面が最上昇位置に位置するため、枕１の上面は最上昇位置に位置することになる。
【００６９】
横向き寝時には、図９及び図１０に示すように、頭載部材２の中央部７の上面に使用者の頭部が載ると、その頭部は、メッシュ布１５の中央部付近の上方に位置するので、メッシュ布１５には肩で支持された部分を除く頭部の重量が荷重として作用する。この荷重によっても、各ばね板１１，１２は円弧状に屈曲した形状を維持する。
【００７０】
具体的には、横向き寝時には、メッシュ布１５が張り渡された各ばね板１１，１２には最大で頭部の重量の略半分程度の荷重がかかる。そこで、各ばね板１１，１２の中央部に人の頭部の半分の重量がかかっても、ばね板１１，１２は円弧状に屈曲した形状を維持するように、各ばね板１１，１２のばね力及び引張ばね１３，１４の引張力を設定しておけばよい。
【００７１】
上述したように、横向き寝時には、各ばね板１１，１２の円弧状に屈曲した形状は維持され、ばね板１１，１２の上面が最上昇位置に位置する。そして、ばね板１１，１２間にメッシュ布１５が強く張り渡されているため、使用者の頭部はメッシュ布１５で支持されて過度の沈み込みが防止され、枕１の上面は横向き寝時に適した高い位置に位置することになる。
【００７２】
さらに、枕１の左右の外側部８の高さは、常に横向き寝時に適した高さである。よって、横向き寝時、枕１のどの位置に頭部を載せても、その上面は横向き寝に適した高さとなっている。
【００７３】
一方、仰向き寝で寝ようとするとき、まず、使用者の頭部の荷重は中央部７の前側部を介して前側のばね板１１の中央部付近に作用する。ここで、各ばね板１１，１２の中央部に人の頭部の重量がかかると、ばね板１１，１２は円弧状に屈曲した形状から水平状態に近付くように変形するように、各ばね板１１，１２のばね力及び引張ばね１３，１４の引張力が設定されている。そして、各ばね板１１，１２自体は、それぞれある程度は別個に独立して屈曲することが可能である。
【００７４】
よって、ばね板１１の中央部に人の頭部の重量がかかると、ばね板１１は円弧状に屈曲した形状から水平状態に近付くように変形する。そして、前側のばね板１１と２本の連結軸１６，１７で連結されていることと共に、次第に使用者の頭部の荷重が頭頂部側に移り、メッシュ布１５を介して後側のばね板１２の中央部付近に荷重が作用することにより、後側のばね板１２も円弧状に屈曲した形状から水平状態に近付くように変形する。
【００７５】
これにより、図１１及び図１２に示すように、前後両方のばね板１１，１２が水平状態となって、これらばね板１１，１２に張り渡されたメッシュ布１５も下降して、枕１が扁平となり、その中央部７の高さが仰向き寝時に適した高さまで下降する。
【００７６】
ただし、ばね板１１，１２は、完全に水平状態にならず、中央部が下降して水平状態に近付く状態となってもよい。なお、仰向き寝時状態で、両ばね板１１，１２が水平状態になると外部からばね板１１，１２に力が作用しない限り、ばね板１１，１２が屈曲する力がほとんど生じないので、仰向き寝時に、上下動装置３が上昇して頭部を押し上げるような圧迫感を使用者は感じない。
【００７７】
一方、仰向き寝時、ばね板１１，１２の上面が最下降位置に位置するため、枕１の上面も最下降位置に位置することとなる。そして、仰向き寝時の枕１の高さは、一般的に、２ｃｍから５ｃｍが適しており、後頭部と蒲団との間には頭載部材２とメッシュ布１５以外は存在せず、硬質部材等の存在による違和感を感じない。
【００７８】
逆に、仰向き寝時状態から起きるときには、仰向き寝で寝ようとするときと反対の過程を辿って、引張ばね１３，１４の引張力によってばね板１１，１２は元の円弧状に徐々に復帰するので、枕１は不使用時の高さにスムースに戻る。
【００７９】
そして、横向き寝時から仰向き寝時への移行、及び、仰向き寝時から横向き寝時への移動も、寝姿勢の相違に応じて上下動装置３はスムース且つ確実に上下動する。そして、ばね板１１，１２は左右均等に上下動するので、ばね板１１，１２の片端のみが移動することがないために、中央部７の下面とばね板１１，１２及びメッシュ布１５との間に歪みが生じず、横にずれるような悪い使用感を感じない。
【００８０】
また、ばね板１１，１２が下降した枕１の中央部７が扁平になった状態から、ばね板１１，１２を円弧状にして上昇させるときの作動が、移動規制機構２１によって、左右均等に行われるので、悪い使用感を感じない。
【００８１】
また、左右の外側部８の上面は、横向き寝に適した高さであり、中央部７の上面のみが上下動可能となっている。中央部７の上面は、仰向き寝時には仰向き寝に適した高さになるとともに、仰向き寝時から横向き寝時に寝返りするとき、使用者の側頭部が外側部８の上面に載ったぶんだけばね板１１，１２にかかる荷重が減少し、ばね板１１，１２が上昇する力によって、頭部は外側部８の方に送り出される。よって、仰向き寝から横向き寝に寝返りするときに、枕１から頭部を浮かせる必要がなく、容易に寝返りを行うことができる。
【００８２】
また、逆に外側部８での横向き寝時から中央部７での仰向き寝に寝返りを行うと、前側のばね板１１が頚部の荷重によって、上述したように徐々に下降し始め、次いで後側のばね板１２が下降する。よって、外側部８での横向き寝からスムースに仰向き寝に移行することができる。なお、仰向き寝時には溝６が左右方向に開くが、枕１は枕カバーに覆われているので、使用者の耳などが溝６に挟まれるなどの支障は生じない。
【００８３】
さらに、左右の外側部８を有するので、枕１の左右幅が長く、寝返りで枕１から落ちる可能性が少ない。そして、中央部７及び外側部８のどの上面も、横向き寝時に適した高さが維持される。
【００８４】
以上、本発明の実施形態について説明したが、これに限定されず、適宜種々変形することができる。
【符号の説明】
【００８５】
１…枕、  ２…頭載部材、  ２ａ…空洞、  ２ｂ…中央部分、  ２ｃ…通気孔、  ３…上下動装置、  ４…本体部材、  ５…底蓋部材、  ６…溝（切込み）、  ７…中央部、  ８…外側部、  １１…前側のばね板（前側の可撓性部材）、  １２…後側のばね板（後側の可撓性部材）、  １３，１４…引張ばね（引張部材）、  １５…メッシュ布（張渡部材）、  １６，１７…連結軸（連結部材）、  １８，１９…連結ワイヤ、  ２１…移動規制機構、  ２２…取付板、  ２３…連結板、  ２５…ローラ、  ２６…移動規制板、  ２７…規制駒、  ３１…調整機構、  ４１…回転防止機構。
【要約】
【課題】仰向き寝時と横向き寝時とで高さが変化し、且つ、簡易な構造の枕を提供する。
【解決手段】枕１は、内部に空洞２ａを有する可撓部材から形成される扁平な直方体形状の頭載部材２と、頭載部材２の空洞２ａに設けられた上下動装置３とを有する。上下動装置３は、頭載部材２の中央部に人の頭部を載せて寝たときに、頚部の下方に位置する前側のばね板１１と、頭頂部より後側部の下方に位置する後側のばね板１２と、各ばね板１１，１２の左右端部が互いに近付くように各ばね板１１，１２に引張力を付与する引張ばね１３，１４と、ばね板１１，１２間に張り渡たされたメッシュ布１５とを備え、頭載部材２に人の頭部を載せない状態では、ばね板１１，１２は上方に凸になる円弧状に屈曲している。
【選択図】図４【図１】
0005468706.tif 000002
【図２】
0005468706.tif 000003
【図３】
0005468706.tif 000004
【図４】
0005468706.tif 000005
【図５】
0005468706.tif 000006
【図６】
0005468706.tif 000007
【図７】
0005468706.tif 000008
【図８】
0005468706.tif 000009
【図９】
0005468706.tif 000010
【図１０】
0005468706.tif 000011
【図１１】
0005468706.tif 000012
【図１２】
0005468706.tif 000013